(57)【特許請求の範囲】
【請求項１】
筐体と、
前記筐体の内部上方に設けられた熱交換器と、
前記筐体の底面に設けられ、前記熱交換器で発生するドレン水を外部へ排水する排水孔を有する底板と、
前記筐体の内部に設けられ、前記熱交換器を前記筐体の内部上方に支持する支持台と、
前記熱交換器の下方に設けられ、前記ドレン水を前記底板に誘導する排水構造と、を備え、
前記排水構造は、
前記筐体の外周面を覆う側面パネルと、
前記筐体の内部に前記側面パネルと対向して設けられ、前記側面パネルとの間で前記ドレン水の排水経路を形成する導水板と、を有しており、
前記導水板には、前記排水経路から前記筐体の内部に向かって貫通する、氷結時の前記排水経路の膨張防止のための複数の貫通孔が形成されている空気調和機の室外機。
【請求項２】
前記導水板は、上端部に前記筐体の内方へ向かって斜め上方へ傾斜する傾斜部を有し、前記傾斜部の上端が、前記側面パネルの上端よりも高い位置とされている請求項１に記載の空気調和機の室外機。
【請求項３】
前記導水板は、前記傾斜部から前記側面パネルの対向する面に移行する角部にＲ加工が施された湾曲部を有している請求項２に記載の空気調和機の室外機。
【請求項４】
前記底板は、外周縁辺を上方へ向かって屈曲させた立ち上がり部を有し、
前記導水板は、下端部が前記底板の前記立ち上がり部に近接する位置に配置されている請求項１〜３のいずれか一項に記載の空気調和機の室外機。
【請求項５】
前記導水板は、合成樹脂材又はゴム材で形成されている請求項１〜４のいずれか一項に記載の空気調和機の室外機。
【請求項６】
前記導水板は、前記傾斜部を有する上方部分が合成樹脂材で形成された上部材と、下方部分がゴム状のシートで形成された下部材と、で構成されている請求項２、請求項３、請求項２又は３に従属する請求項４のいずれか一項に記載の空気調和機の室外機。
【請求項７】
筐体と、
前記筐体の内部上方に設けられた熱交換器と、
前記筐体の底面に設けられ、前記熱交換器で発生するドレン水を外部へ排水する排水孔を有する底板と、
前記筐体の内部に設けられ、前記熱交換器を前記筐体の内部上方に支持する支持台と、
前記熱交換器の下方に設けられ、前記ドレン水を前記底板に誘導する排水構造と、を備え、
前記排水構造は、
前記筐体の内部に、前記熱交換器の下端面に沿って設けられ、前記熱交換器の下端面に対向する開口部を有する第１導水管と、
前記第１導水管に接続され、前記ドレン水を前記底板に誘導する第２導水管と、
前記筐体の外周面を覆う側面パネルと、を備えており、
前記第１導水管と前記第２導水管とで排水経路が形成され、
前記側面パネルには、上端縁辺に前記第１導水管の開口縁部に係止する係止部が設けられている空気調和機の室外機。
【請求項８】
前記第１導水管は、前記筐体の内部側の開口縁部が前記熱交換器の下端面よりも上方に位置され、前記筐体の外部側の開口縁部が前記熱交換器の下端面よりも下方に位置されている請求項７に記載の空気調和機の室外機。
【請求項９】
前記底板は、外周縁辺を上方へ向かって屈曲させた立ち上がり部を有し、
前記第２導水管は、下端部が前記底板の前記立ち上がり部に近接する位置に配置されている請求項７又は８に記載の空気調和機の室外機。
【請求項１０】
前記第１導水管及び前記第２導水管は、合成樹脂材又はゴム材で形成されている請求項７〜９のいずれか一項に記載の空気調和機の室外機。
【発明の詳細な説明】
【技術分野】
【０００１】
本発明は、熱交換器のドレン水を排水する排水構造を備えた空気調和機の室外機に関するものである。
【背景技術】
【０００２】
一般に、空気調和機は、四方弁によって冷媒の流れを切り替えることで冷房運転と暖房運転とを行う構成が知られている。空気調和機は、外気温度が低い環境下で暖房運転を行うと、室外機の熱交換器に霜が付着して、熱交換効率が悪化することがある。そのため、室外機は、通常、霜を除去するためのデフロスト（除霜）機能を備えている。【０００３】
室外機は、デフロスト運転によって溶けた霜をドレン水として下方に流し、室外機の底板上で受け止められた後に、底板に形成された排水孔から外部に排水させる。しかし、底板で受け止めたドレン水の少量は、排水孔まで到らずに底板上に残ってしまうことがある。底板上に残ったドレン水は、デフロスト運転の終了後、暖房運転に復帰したときに外気が氷点下であると再び凍結してしまう。そして、熱交換器は、定期的にデフロスト運転が繰り返されるため、一度凍結したドレン水は凍結が進行し、熱交換器が氷で覆われてしまい暖房能力が低下したり、氷の成長によって冷媒配管が押し潰れたりする。このため、例えば特許文献１及び２には、室外機の底板上に凍結防止ヒーターを設置してドレン水の凍結を防止する技術が開示されている。
【先行技術文献】
【特許文献】
【０００４】
【特許文献１】特開２０１０−７１５１４号公報
【特許文献２】特開２０１５−２０６５７５号公報
【発明の概要】
【発明が解決しようとする課題】
【０００５】
特許文献１及び２に開示された空気調和機の室外機のように、底板上に凍結防止ヒーターを設置しても、完全に凍結を防止することはできない。つまり、実際には、凍結防止ヒーターの周囲数ｍｍ程の氷を融解するだけで、内部が空洞になる。そのため、凍結防止ヒーターを備えた室外機は、凍結防止ヒーター上部もいずれは氷結して底板上に氷が一面に形成され、熱交換器の冷媒配管が破損する虞がある。そこで、室外機は、凍結防止ヒーターの熱容量を上げて氷結融解対策も考えられるが、電力供給が余分に必要となり、ランニングコストがアップする。また、凍結防止ヒーターを備えた室外機は、構造や制御が複雑になり、製品コストがアップする。【０００６】
本発明は、上記のような課題を解決するためになされたものであり、凍結防止ヒーター使用することなく、熱交換器の暖房能力の低下、及び冷媒配管の破損を防止できる空気調和機の室外機を提供することを目的とする。
【課題を解決するための手段】
【０００７】
本発明に係る空気調和機の室外機は、筐体と、前記筐体の内部上方に設けられた熱交換器と、前記筐体の底面に設けられ、前記熱交換器で発生するドレン水を外部へ排水する排水孔を有する底板と、前記筐体の内部に設けられ、前記熱交換器を前記筐体の内部上方に支持する支持台と、前記熱交換器の下方に設けられ、前記ドレン水を前記底板に誘導する排水構造と、を備え、前記排水構造は、前記筐体の外周面を覆う側面パネルと、前記筐体の内部に前記側面パネルと対向して設けられ、前記側面パネルとの間で前記ドレン水の排水経路を形成する導水板と、を有しており、前記導水板には、前記排水経路から前記筐体の内部に向かって貫通する、氷結時の前記排水経路の膨張防止のための複数の貫通孔が形成されているものである。
また、本発明に係る空気調和機の室外機は、筐体と、前記筐体の内部上方に設けられた熱交換器と、前記筐体の底面に設けられ、前記熱交換器で発生するドレン水を外部へ排水する排水孔を有する底板と、前記筐体の内部に設けられ、前記熱交換器を前記筐体の内部上方に支持する支持台と、前記熱交換器の下方に設けられ、前記ドレン水を前記底板に誘導する排水構造と、を備え、前記排水構造は、前記筐体の内部に、前記熱交換器の下端面に沿って設けられ、前記熱交換器の下端面に対向する開口部を有する第１導水管と、前記第１導水管に接続され、前記ドレン水を前記底板に誘導する第２導水管と、前記筐体の外周面を覆う側面パネルと、を備えており、前記第１導水管と前記第２導水管とで排水経路が形成され、前記側面パネルには、上端縁辺に前記第１導水管の開口縁部に係止する係止部が設けられているものである。
【発明の効果】
【０００８】
本発明に係る空気調和機の室外機によれば、熱交換器が底板に設けられた支持台によって筐体の内部上方に支持されており、熱交換器から発生するドレイ水を、熱交換器の下方に設けられた排水構造で底板に誘導する構成なので、底板の排水孔から外部へ排水されなかったドレン水が底板上に残って氷結しても、筐体の内部上方に配置された熱交換器は氷で覆われることがない。よって、本発明に係る空気調和機の室外機は、凍結防止ヒーターを使用することなく、熱交換器の暖房能力の低下を防止できると共に、冷媒配管の破損を防止できる。
【図面の簡単な説明】
【０００９】
【図１】本発明の実施の形態１に係る空気調和機の室外機の概略斜視図である。
【図２】本発明の実施の形態１に係る空気調和機の室外機の内部構成を拡大して示した概略斜視図である。
【図３】本発明の実施の形態１に係る空気調和機の室外機の底板の構造を示した上面図である。
【図４】本発明の実施の形態１に係る空気調和機の室外機の排水構造を概略的に示した断面図である。
【図５Ａ】本発明の実施の形態１に係る空気調和機の室外機の導水板を排水面側から見た斜視図である。
【図５Ｂ】本発明の実施の形態１に係る空気調和機の室外機の導水板を背面側から見た斜視図である。
【図６Ａ】本発明の実施の形態１に係る空気調和機の室外機の底板上に溜まったドレン水が氷結した初期状態を示した説明図である。
【図６Ｂ】本発明の実施の形態１に係る空気調和機の室外機の底板上の氷結が成長した状態を示した説明図である。
【図７】本発明の実施の形態１に係る空気調和機の室外機の底板上に溜まったドレン水が氷結した異なる状態を示した説明図である。
【図８】本発明の実施の形態１に係る空気調和機の室外機の排水経路の上部でドレン水が氷結した状態を示した説明図である。
【図９】本発明の実施の形態１に係る空気調和機の室外機の導水板の変形例を示した斜視図である。
【図１０】本発明の実施の形態２に係る空気調和機の室外機の内部構成を拡大して示した概略斜視図である。
【図１１】本発明の実施の形態２に係る空気調和機の室外機の排水構造を概略的に示した断面図である。
【図１２】本発明の実施の形態２に係る空気調和機の室外機の排水経路の上部でドレン水が氷結した状態を示した説明図である。
【発明を実施するための形態】
【００１０】
実施の形態１．
以下、本発明の実施の形態に係る空気調和機の室外機を図面に基づいて説明する。なお、図面に示した形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１１】
図１は、本発明の実施の形態１に係る空気調和機の室外機の概略斜視図である。図２は、本発明の実施の形態１に係る空気調和機の室外機の内部構成を拡大して示した概略斜視図である。実施の形態１の室外機１００は、図１及び２に示すように、縦置きされた略直方体形状の筐体１と、筐体１の内部上方に設けられた熱交換器２と、熱交換器２で発生するドレン水を外部へ排水する排水孔４０を有する底板４と、熱交換器２を筐体１の内部上方に支持する支持台２０と、ドレン水を底板４に誘導する排水構造７Ａと、で構成されている。
【００１２】
筐体１は、底面に設けられた底板４の隅部から上方に向かって延びるフレーム材１０を備えている。筐体１は、フレーム材１０で囲まれた上方側の外周面に、筐体１内に空気を取り込むための空気吸込口１ａが形成され、空気吸込口１ａに沿って熱交換器２が配置されている。筐体１の上面には、空気吹出口１ｂが形成されており、筐体１内で空気吹出口１ｂの直下位置にファン１１が配備されている。このファン１１の駆動により、空気吸込口１ａから筐体１内に吸い込まれた空気が、熱交換器２を通過して冷媒と熱交換したのちファン１１を経て空気吹出口１ｂから排気されるようになっている。
【００１３】
筐体１は、フレーム材１０で囲まれた下方側の外周面に、意匠板金である側面パネル３が設けられており、下方側の外周面が側面パネル３で塞がれている。側面パネル３は、左右の側縁部がフレーム材１０にネジ等の締結部材で固定され、下縁部が底板４にネジ等の締結部材で固定されている。図２に示すように、熱交換器２の下方である筐体１の内部下方には、例えばコンプレッサー、アキュムレーター等の機内構成部品１２が設置されている。室外機１００は、筐体１から側面パネル３を取り外して内部を開放することで、機内構成部品１２のメンテナンスなどが可能となる。
【００１４】
熱交換器２は、熱交換器２に供給される冷媒と、熱交換器２を通過する空気とを熱交換させるものである。熱交換器２は、冷房運転時には凝縮器として機能して冷媒を凝縮液化し、暖房運転時には、蒸発器として機能して冷媒を蒸発気化させる。詳細に図示することは省略したが、熱交換器２は、２つのＬ字状の熱交換器を組み合わせて略方形状とされ、外側面を筐体１の内側面に沿わせて配置されている。また、熱交換器２は、筐体１の内部に設けられた支持台２０によって筐体１の内部上方に支持されている。
【００１５】
図３は、本発明の実施の形態１に係る空気調和機の室外機の底板の構造を示した上面図である。底板４は、図３に示すように、略長方形状をなし、筐体１の底面に設けられて、機内構成部品１２を載置させるものである。底板４には、外周縁辺を上方へ向かって屈曲させた立ち上がり部４２が形成されている。また、底板４には、デフロスト運転によって霜が溶けたドレン水を、外部へ排水する排水孔４０と、ドレン水を排水孔４０へ導く排水溝４１が形成されている。底板４の各隅部には、熱交換器２を支持する支持台２０の下端部が固定されている。
【００１６】
図４は、本発明の実施の形態１に係る空気調和機の室外機の排水構造を概略的に示した断面図である。図５Ａは、本発明の実施の形態１に係る空気調和機の室外機の導水板を排水面側から見た斜視図である。図５Ｂは、本発明の実施の形態１に係る空気調和機の室外機の導水板を背面側から見た斜視図である。排水構造７Ａは、図４に示すように、側面パネル３と、筐体１の内部に側面パネル３と間隔Ｓをあけて対向して設けられ、側面パネル３との間でドレン水の排水経路７０を形成する導水板５と、で構成されている。排水経路７０は、デフロスト運転によって溶けた霜をドレン水として室外機１００の下方（図中矢印の方向）へ流す経路であり、ドレン水を底板４の排水溝４１へ導くものである。なお、導水板５と側面パネル３との間隔Ｓは、筐体１内に設置する機内構成部品１２のスペースをできるだけ広く確保するため、寒冷地環境下以外での雨水等の水量の必要最小限の容量から算出する。
【００１７】
導水板５は、図４及び図５Ａ、Ｂに示すように、一例として熱伝導率が低い合成樹脂材又はゴム材からなる略平板状部材である。熱伝導率が低いとした理由は、熱交換器２からのドレン水が導水板５によって熱を奪われてすぐに氷結しないようにするためである。導水板５は、上端部に筐体１の内方へ向かって斜め上方へ３０°程度傾斜する傾斜部５１を有している。傾斜部５１は、図４に示すように、上端が側面パネル３の上端よりも高い位置とされている。また、傾斜部５１の上端部には、上方に向かって延びるフランジ部５３が設けられており、滴下したドレン水が筐体１の内方へ進入しないように防止している。なお、導水板５は、熱交換器２に接触させていない。
【００１８】
導水板５は、傾斜部５１から側面パネル３に対向させた面に移行する角部にＲ加工が施された湾曲部５２を有しており、熱交換器２から滴下したドレン水が傾斜部５１に滞留することなく排水経路７０を通じて下方へスムーズに導水できる構造としている。また、導水板５の左右の側縁辺には、排水経路７０を塞ぐフランジ部５４が設けられており、ドレン水を筐体１の内方に進入させない構造としている。導水板５は、図５Ａに示すように、左右のフランジ部５４、５４に設けられた取付部材５８を介して、両側縁が支持台２０に固定されている。なお、取付部材５８には、ボルト又はネジ等の締結部材を通す孔が形成されており、孔に通した締結部材によって支持台２０に固定される。また、取付部材５８は、図示例の場合、左右のフランジ部５４、５４の上下方向にそれぞれ２個ずつ設けられているが、１個以上あればよい。
【００１９】
導水板５の排水面５０には、補強用の縦リブ５５が左右方向に間隔をあけて３つ形成されている。また、導水板５の背面には、補強用の横リブ５６が、上下方向に間隔をあけて３つ形成されている。縦リブ５５及び横リブ５６は、導水板５を樹脂成形品の平板形状とした場合、導水板５の成型時の反りを防止するために設けられている。なお、縦リブ５５は、排水経路７０を阻害しないように、ドレン水の流れ方向と同じ縦方向として設けている。なお、縦リブ５５及び横リブ５６は、図示した本数に限定されない。
【００２０】
また、導水板５には、排水経路７０から筐体１の内部に向かって貫通する複数の貫通孔５７が形成されている。貫通孔５７は、図５Ａ、Ｂに示すように、氷結と融解を繰り返す際に排水経路７０が膨張しないための氷結膨張逃がし穴であり、氷結時の膨張防止を図る目的で形成されている。貫通孔５７は、図示例の場合、間隔をあけて縦方向に４つ、横方向に４つ形成されているが、この限りではなく、適宜、個数及び大きさを調整して設けるものとする。
【００２１】
なお、詳細に図示することは省略したが、導水板５は、樹脂成形品の排水面５０にシボ形状又は溝を設けて撥水性を向上させた構造としてもよい。
【００２２】
ここで、従来の室外機では、デフロスト運転によって溶けた霜によりドレン水が発生し、排水孔まで到らずに底板上に残ってしまうことがある。底板上に残ったドレン水は、デフロスト運転終了後に、暖房運転に復帰したときに外気が氷点下であると再び凍結してしまう。そして、熱交換器は、定期的にデフロスト運転が繰り返されるため、一度凍結したドレン水は凍結が進行し、熱交換器が氷で覆われてしまい暖房能力が低下したり、氷の成長によって熱交換器を構成する配管が潰れたりする。
【００２３】
そこで、実施の形態１に係る空気調和機の室外機１００は、熱交換器２が底板４に設けられた支持台２０によって筐体１の内部上方に支持されており、熱交換器２から発生するドレイ水を、熱交換器２の下方に設けられた排水構造７Ａで底板４に誘導する構成としている。よって、室外機１００は、底板４の排水孔４０から外部へ排水されなかったドレン水が底板４上に残って氷結しても、筐体１の内部上方に配置された熱交換器２が氷で覆われることがないから、凍結防止ヒーターを使用することなく、熱交換器２の暖房能力の低下を防止できると共に、冷媒配管の破損を防止できる。
【００２４】
また、導水板５は、上端部に筐体１の内方へ向かって斜め上方へ傾斜する傾斜部５１を有し、傾斜部５１の上端が、側面パネル３の上端よりも高い位置とされているので、デフロスト運転時に熱交換器２に付着した霜が融解した際のドレン水を、筐体１の内方へ進入させることなく、排水経路７０に導くことができる。
【００２５】
また、導水板５は、傾斜部５１から排水面５０に移行する角部にＲ加工が施された湾曲部５２を有しているので、熱交換器２から滴下したドレン水が傾斜部５１に滞留することなく排水経路７０を通じて下方へスムーズに導水できる。
【００２６】
また、導水板５には、排水経路７０から筐体１の内部に向かって貫通する複数の貫通孔５７が形成されているので、氷結と融解を繰り返す際に排水経路７０が膨張しないための氷結膨張逃がし穴として機能し、氷結時の膨張防止を図ることができる。
【００２７】
次に、導水板５の下端部の位置について説明する。図６Ａは、本発明の実施の形態１に係る空気調和機の室外機１００の底板上に溜まったドレン水が氷結した初期状態を示した説明図である。図６Ｂは、本発明の実施の形態１に係る空気調和機の室外機の底板上の氷結が成長した状態を示した説明図である。図６Ａ、Ｂに示すように、室外機１００は、デフロスト運転を数回実施すると、底板４上に残ったドレン水が排水経路７０の直下位置を起点として山なりに氷結する現象が生じる。そこで、実施の形態１の室外機１００は、導水板５の下端部が底板４の立ち上がり部４２の上端よりも少し高い位置となるように設けられている。また、導水板５の下端部に、筐体１の内方に向かって突き出すフランジ部５９を設けている。つまり、室外機１００は、図６Ｂに示すように、デフロスト運転を繰り返し行うと、排水経路７０が氷結によって導水板５の下端で塞がるので、これ以上、筐体１の内方へ氷結が成長して進入することを防止できる。また、導水板５は、下端部を立ち上がり部４２の上端よりも少し高い位置となるように設けることで、筐体１の内部をメンテナンスする際に取り外しやすくなり、作業性を向上させることができる。
【００２８】
図７は、本発明の実施の形態１に係る空気調和機の室外機の底板上に溜まったドレン水が氷結した異なる状態を示した説明図である。導水板５の下端部は、図７に示すように、底板４の立ち上がり部４２の上端よりも低い位置としてもよい。図７に示した室外機１００では、デフロスト運転が繰り返し行われ、排水溝４１の溜まったドレン水が氷結して嵩が上がっても、氷結を導水板５の下端部で抑えつけて排水溝４１の内部で留めることができるので、成長した氷結が筐体１の内方へ進入することがない。
【００２９】
次に、図８は、本発明の実施の形態１に係る空気調和機の室外機の排水経路の上部でドレン水が氷結した状態を示した説明図である。室外機１００は、筐体１の内部のスペースを確保するため、側面パネル３と導水板５との間隔Ｓを、排水できる必要最小限として構成している。そのため、室外機１００は、寒冷地環境下において、図５Ｂに示すように、排水経路７０の下部が氷結で埋まった後に、氷結が排水経路７０内で上方へ成長していく場合がある。しかし、実施の形態１の室外機１００では、導水板５の傾斜部５１の上端が側面パネル３の上端よりも高い位置とした構成なので、図８に示すように、氷結が側面パネル３の高さを越えたときに、ドレン水は室外機１００の内部へ進入することなく、熱交換器２と側面パネル３との隙間から外部へ排水され、筐体１の内部での氷結を最小限に抑制でき、構成配管の破損を防止できる。
【００３０】
図９は、本発明の実施の形態１に係る空気調和機の室外機の導水板の変形例を示した斜視図である。図９に示す導水板６は、傾斜部５１を有する上方部分が合成樹脂材で形成された上部材６０と、中間部から下端部までの下方部分がゴム状のシートで形成された下部材６１と、で構成されている。つまり、導水板６は、合成樹脂材とゴム材とを組み合わせた構成であり、樹脂成形品のみで成形した導水板と比較して、樹脂成形品が占める割合を縮小させることができるので、成型金型の費用削減が可能となる。
【００３１】
実施の形態２．
次に、実施の形態２に係る空気調和機の室外機を図１０及び１１に基づいて説明する。図１０は、本発明の実施の形態２に係る空気調和機の室外機の内部構成を拡大して示した概略斜視図である。図１１は、本発明の実施の形態２に係る空気調和機の室外機の排水構造を概略的に示した断面図である。なお、実施の形態１で説明した空気調和機の室外機１００と同一の構成について、同一の符号を付して、その説明を適宜省略する。
【００３２】
実施の形態２の空気調和機の室外機１０１は、排水構造７Ｂの構成が上記実施の形態１で示した排水構造７Ａと異なる。具体的には、実施の形態２の空気調和機の室外機１０１の排水構造７Ｂは、図１０及び図１１に示すように、側面パネル３と、熱交換器２の下端面に沿って設けられた第１導水管８と、第１導水管８に接続され、ドレン水を底板４に誘導する第２導水管９とを備え、第１導水管８と第２導水管９とで排水経路７０が形成された構成である。つまり、室外機１０１は、熱交換器２から発生したドレン水を、第１導水管８で受けて水平方向に導水した後に、第２導水管９で筐体１の下方へ集中排水する。なお、図１０では、側面パネル３を筐体１から取り外した状態を示している。また、図１０では、図２で示した機内構成部品１２の記載を省略している。
【００３３】
側面パネル３は、フレーム材１０で囲まれた下方側の外周面を塞ぐ意匠板金であり、図１１に示すように、上端縁辺に第１導水管８の開口縁部８２に係止する係止部３０が設けられている。側面パネル３は、左右の側縁部がフレーム材１０にネジ等の締結部材で固定され、下縁部が底板４にネジ等の締結部材で固定されている。室外機１０１は、図１０に示すように、筐体１から側面パネル３を取り外して内部を開放することで、機内構成部品１２（図２を参照）のメンテナンスなどが可能となる。
【００３４】
第１導水管８及び第２導水管９は、一例として熱伝導率が低い合成樹脂材又はゴム材で形成されている。熱伝導率が低いとした理由は、熱交換器２からのドレン水が第１導水管８及び第２導水管９によって熱を奪われてすぐに氷結しないようにするためである。第１導水管８は、図１０に示すように、筐体１の内部において、熱交換器２の下端面に沿って、左右にフレーム材１０、１０の間に設けられている。第１導水管８は、熱交換器２の下端面に対向する開口部８０を有している。第１導水管８は、図１１に示すように、筐体１の内部側の開口縁部８１が熱交換器２の下端面よりも上方に位置され、筐体１の外部側の開口縁部８２が熱交換器２の下端面よりも下方に位置されており、滴下したドレン水が筐体１の内方へ進入しないように防止している。なお、第１導水管８は、熱交換器２には接触させていない。
【００３５】
第２導水管９は、図１０に示すように、熱交換器２と底板４との間において支持台２０に並列させて設けられており、その上端が第１導水管８に接続されている。なお、第２導水管９は、例えば支持台２０に固定させて安定させるとよい。
【００３６】
実施の形態２の空気調和機の室外機１０１も、デフロスト運転を数回実施すると、底板４の排水溝４１内において底板４上に残ったドレン水が排水経路７０の直下位置を起点として山なりに氷結する現象が生じる。そこで、実施の形態２の室外機１０１も、図６で説明したように、第２導水管９の下端部が底板４の立ち上がり部４２の上端よりも少し高い位置となるように設ける。また、図７で説明したように、第２導水管９の下端部は、底板４の立ち上がり部４２の上端よりも低い位置としてもよい。
【００３７】
したがって、実施の形態２に係る空気調和機の室外機１０１は、熱交換器２が底板４に設けられた支持台２０によって筐体１の内部上方に支持されており、熱交換器２から発生するドレイ水を、熱交換器２の下方に設けられた排水構造７Ｂで底板４に誘導する構成としている。よって、実施の形態２に係る空気調和機の室外機１０１は、底板４の排水孔４０から外部へ排水されなかったドレン水が底板４上に残って氷結しても、筐体１の内部上方に配置された熱交換器２は氷で覆われることがないから、凍結防止ヒーターを使用することなく、熱交換器２の暖房能力の低下を防止できると共に、冷媒配管の破損を防止できる。
【００３８】
図１２は、本発明の実施の形態２に係る空気調和機の室外機の排水経路の上部でドレン水が氷結した状態を示した説明図である。室外機１０１は、筐体１の内部のスペースを確保するため、第１導水管８の外径を排水できる必要最小限として構成している。そのため、室外機１０１は、寒冷地環境下において、排水経路７０の下部が氷結で埋まった後に氷結が排水経路７０内で上方へ成長していく場合がある。しかし、実施の形態２の室外機１０１では、第１導水管８が、筐体１の内部側の開口縁部８１が熱交換器２の下端面よりも上方に位置され、筐体１の外部側の開口縁部８２が熱交換器２の下端部よりも下方に位置された構成である。そして、室外機１０１は、側面パネル３がフック部で第１導水管８に取り付けられているので、氷結が側面パネル３の高さを越えたときに、ドレン水は室外機１００の内部へ進入することなく、熱交換器２と側面パネル３との隙間から外部へ排水され、筐体１の内部での氷結を最小限に抑制でき、構成配管の破損を防止できる。
【００３９】
以上に本発明を実施の形態に基づいて説明したが、本発明は上述した実施の形態の構成に限定されるものではない。例えば、図示した室外機の内部構成は、一例であって、上述した内容に限定されるものではなく、他の構成要素を含んだ室外機であっても同様に実施することができる。要するに、いわゆる当業者が必要に応じてなす種々なる変更、応用、利用の範囲をも本発明の要旨（技術的範囲）に含むことを念のため申し添える。
【符号の説明】
【００４０】
１  筐体、１ａ  空気吸込口、１ｂ  空気吹出口、２  熱交換器、３  側面パネル、４  底板、５、６  導水板、７Ａ、７Ｂ  排水構造、８  第１導水管、９  第２導水管、１０  フレーム材、１１  ファン、１２  機内構成部品、２０  支持台、３０  係止部、４０  排水孔、４１  排水溝、４２  立ち上がり部、５０  排水面、５１  傾斜部、５２  湾曲部、５３、５４、５９  フランジ部、５５  縦リブ、５６  横リブ、５７  貫通孔、５８  取付部材、６０  上部材、６１  下部材、７０  排水経路、８０  開口部、８１、８２  開口縁部、  １００、１０１  室外機。
【図１】
0006698841.tif 000002
【図２】
0006698841.tif 000003
【図３】
0006698841.tif 000004
【図４】
0006698841.tif 000005
【図５Ａ】
0006698841.tif 000006
【図５Ｂ】
0006698841.tif 000007
【図６Ａ】
0006698841.tif 000008
【図６Ｂ】
0006698841.tif 000009
【図７】
0006698841.tif 000010
【図８】
0006698841.tif 000011
【図９】
0006698841.tif 000012
【図１０】
0006698841.tif 000013
【図１１】
0006698841.tif 000014
【図１２】
0006698841.tif 000015